(57)【要約】  本発明は、電子商取引方法、システム、及び記録媒体に関し、より詳しくは、オンライン上において、ＧＭ会員とＳＭ会員の各々の地位とコードに従う会員等級に基づいてポイントを用いた電子商取引方法、電子商取引システム、及びコンピュータにより読取可能な記録媒体に関する。本発明の電子商取引方法、電子商取引システム、及びコンピュータにより読取可能な記録媒体は、会員間の関連関係を高度化させ、会員加入を留置した会員に一層高いインセンティブを提供して忠誠度の高い会員の増加と、それに従うオンライン業体の活性化を図ることができる長所がある。
2012515953.tif 000002
【特許請求の範囲】
【請求項１】
メインサーバが有無線通信網を介して接続された非会員の個人情報及び前記非会員を推薦した推薦人ＩＤを含む会員加入データの入力を受ける会員加入ステップと、
前記会員加入ステップで加入した会員に対してＧＭ会員の地位を付与し、ＧＭ会員コードを生成し、前記ＧＭ会員の地位と前記ＧＭ会員コードを前記推薦人の地位とコード及び前記推薦人が属したＳＭ会員の地位とコードの下位に従属させるＧＭ会員地位付与ステップと、
前記推薦人の下位に従属したＧＭ会員コードを有する会員数と既に設定された会員数と一致するか否かを検討する会員数把握ステップと、
前記会員数把握ステップで数が一致する場合、前記推薦人がＧＭ会員の場合、その地位をＳＭ会員に変更し、新たなＳＭ会員コードを生成して独立した家系に分離させ、前記推薦人自身が保有していた従来のＧＭ会員コードはそのままに維持させる会員地位変更ステップと、を含み、
前記ＳＭ会員コードと前記ＳＭ会員コードに従属したＧＭ会員コードは１つの家系をなして、前記ＳＭ会員コードに従属したＧＭ会員コードを有する者の物品またはサービス購買時、購買したＧＭ会員コードが従属した前記ＳＭ会員コードにポイントが発生することを特徴とするオンライン上における会員等級に従うポイントを用いた電子商取引方法。
【請求項２】
前記推薦人が独立した家系をなした以後、
前記推薦人の推薦により加入した会員のＧＭ会員地位は前記推薦人のＳＭ会員地位に従属し、前記推薦人の推薦により加入した会員のＧＭ会員コードは前記推薦人のＳＭ会員コードに従属することを特徴とする請求項１に記載のオンライン上における会員等級に従うポイントを用いた電子商取引方法。
【請求項３】
前記会員地位変更ステップによりＳＭ会員の地位に変更された者の物品またはサービス購買時、自身が従来保有していたＧＭ会員コードが属した家系の最上位に存在するＳＭ会員コードに前記物品またはサービスに対するポイントが積み立てられることを特徴とする請求項１に記載のオンライン上における会員等級に従うポイントを用いた電子商取引方法。
【請求項４】
前記ＧＭ会員地位付与ステップは、
前記会員が一定回数または一定額に該当する物品またはサービスを購買したか否かを判断するステップと、
前記一定回数または前記一定額に該当する物品またはサービスを購買した場合、ＧＭ会員の地位とＧＭ会員コードを付与するステップと、
を含むことを特徴とする請求項１に記載のオンライン上における会員等級に従うポイントを用いた電子商取引方法。
【請求項５】
前記ＳＭ会員コードに発生したポイントはキャッシュバックされるか、物品またはサービスの購買時に使われることを特徴とする請求項１に記載のオンライン上における会員等級に従うポイントを用いた電子商取引方法。
【請求項６】
前記ＳＭ会員コードに発生するポイントは一定の積み立て期間が設定されて運営されることを特徴とする請求項１に記載のオンライン上における会員等級に従うポイントを用いた電子商取引方法。
【請求項７】
前記ＳＭ会員コードに積み立てられたポイントは前記ＳＭ会員コードを有する会員が前記積み立て期間の間、物品またはサービスを購買した場合に利用可能なことを特徴とする請求項６に記載のオンライン上における会員等級に従うポイントを用いた電子商取引方法。
【請求項８】
前記ＳＭ会員コードに積み立てられたポイントは前記ＳＭ会員コードを有する会員が前記積み立て期間の間、一定額または一定比率に該当する物品またはサービスの購買がない場合に一定額または一定比率だけ消滅されることを特徴とする請求項６に記載のオンライン上における会員等級に従うポイントを用いた電子商取引方法。
【請求項９】
前記会員数把握ステップにおいて、
前記推薦人の下位に従属したＧＭ会員の数は前記推薦人の直接推薦により加入したＧＭ会員の数であることを特徴とする請求項１に記載のオンライン上における会員等級に従うポイントを用いた電子商取引方法。
【請求項１０】
有無線通信網を介して接続した非会員の個人情報及び前記非会員を推薦した推薦人ＩＤを含む会員加入データの転送を受けて会員に加入させ、前記会員に前記推薦人の地位とコード及び前記推薦人が属したＳＭ会員の地位とＳＭ会員コードに各々従属するＧＭ会員地位とＧＭ会員コードを付与し、前記推薦人の下位に従属するＧＭ会員の数と予め設定された会員数とが一致するか否かを判断して前記推薦人の地位を変更し、該当コードを生成するメインサーバと、
前記メインサーバに有無線通信網を介して接続した購買者の要請に従って物品またはサービスを提供する提供サーバと、
前記購買者の購買に従う決済を担当する決済サーバと、
前記メインサーバ及び前記決済サーバと連結されて前記メインサーバに接続した者の会員認証及び決済承認を担当する承認サーバと、
を含むことを特徴とするオンライン上における会員等級に従うポイントを用いた電子商取引システム。
【請求項１１】
前記メインサーバは、
ウェブブラウザと転送プロトコルを介したアクセス情報を提供するＷＥＢサーバと、
ＷＡＰ方式の無線インターネットウェブブラウザを運営するＷＡＰサーバと、
前記会員による物品またはサービス購買時、それに従うポイントを計算するポイント計算部と、
前記ポイント計算部で算出されたポイントを物品またはサービスを購買した会員がＧＭ会員の場合には前記購買したＧＭ会員コードが従属した家系の最上位に位置したＳＭ会員コードに積み立て、物品またはサービスを購買した会員がＳＭ会員の場合には前記購買したＳＭ会員が従来保有していたＧＭ会員コードが従属した家系の最上位に位置したＳＭ会員コードに積み立てるポイント積み立て部と、
前記推薦人の下位に従属したＧＭ会員の数と予め設定された会員数とが一致するか否かを検討して、予め設定された会員数と一致する場合、推薦人の地位をＧＭ会員からＳＭ会員に変更し、該当ＳＭ会員コードを発生させる会員地位変更部と、
前記物品またはサービスに関する情報、会員の購買情報を格納するデータベースと、
を含むことを特徴とする請求項１０に記載のオンライン上における会員等級に従うポイントを用いた電子商取引システム。
【請求項１２】
前記会員地位変更部は、
変更された前記ＳＭ会員地位及び生成された前記ＳＭ会員コードを独立した家系に設定することを特徴とする請求項１１に記載のオンライン上における会員等級に従うポイントを用いた電子商取引システム。
【請求項１３】
前記メインサーバには、
前記ＳＭ会員コードに積み立てられたポイントを前記ＳＭ会員に出力し、物品またはサービス別のポイントを購買者に出力する情報公開部が更に含まれることを特徴とする請求項１０または請求項１１に記載のオンライン上における会員等級に従うポイントを用いた電子商取引システム。
【請求項１４】
コンピュータにより読取可能な記録媒体であって、
有無線通信網を介して接続された非会員の個人情報及び前記非会員を推薦した推薦人ＩＤを含む会員加入データの入力を受ける会員加入ステップと、
前記会員加入ステップで加入した会員に対してＧＭ会員の地位を付与し、ＧＭ会員コードを生成し、前記ＧＭ会員の地位と前記ＧＭ会員コードを前記推薦人の地位とコード及び前記推薦人が属したＳＭ会員の地位とコードの下位に従属させるＧＭ会員地位付与ステップと、
前記推薦人の下位に従属したＧＭ会員コードを有する会員数と既に設定された会員数とが一致するか否かを検討する会員数把握ステップと、
前記会員数把握ステップで数が一致する場合、前記推薦人がＧＭ会員の場合、その地位をＳＭ会員に変更し、新たなＳＭ会員コードを生成して独立した家系に分離させ、前記推薦人自身が保有していた従来のＧＭ会員コードはそのままに維持させる会員地位変更ステップと、
前記ＳＭ会員コード及び前記ＳＭ会員コードに従属したＧＭ会員コードは１つの家系をなして、前記ＳＭ会員コードに従属したＧＭ会員コードを有する会員が物品またはサービス購買時、前記ＳＭ会員コードにポイントを発生させるステップと、
を実行させるためのプログラムを記録したことを特徴とするコンピュータにより読取可能な記録媒体。
【請求項１５】
前記会員地位変更ステップによりＳＭ会員地位に変更された者の物品またはサービス購買時、自身が従来保有していたＧＭ会員コードが属した家系の最上位に存在するＳＭ会員コードに前記物品またはサービスに対するポイントが積み立てられるステップを更に実行させるためのプログラムを記録したことを特徴とする請求項１４に記載のコンピュータにより読取可能な記録媒体。
【請求項１６】
前記ＳＭ会員コードに発生されたポイントを一定額または一定比率で消滅させるステップを更に実行させるためのプログラムを記録したことを特徴とする請求項１４に記載のコンピュータにより読取可能な記録媒体。
【発明の詳細な説明】
【技術分野】
【０００１】
本発明は、電子商取引方法、システム及び記録媒体に関し、より詳しくは、オンライン上におけるＧＭ会員とＳＭ会員の各々の地位とコードに従う会員等級に基づいてポイントを用いた電子商取引方法、電子商取引システム、及びコンピュータにより読取可能な記録媒体に関する。
【背景技術】
【０００２】
１９９９年から急速に増加したインターネットユーザが拡大するにつれて、現在インターネットは汎世界的に社会、文化、経済など、社会全般に亘って度外れの影響を及ぼしており、これと関連した産業に、インターネットショッピングモール、ニュース、情報検索、株式、同好会活動などがオンライン上で活発になされている。このようなサービスのうちの一部は、無料で利用できることに反して、残りのサイトは会員加入を通じて会員の資格を得た者でなければ利用できない。
【０００３】
また、各オンライン業体では保有している会員数に従ってその業体の経済的価値が左右され、広告収益が発生するところ、オンライン業界では忠誠度の高い会員の確保及び増加するか否かが事業の成敗を左右する重要な要素で、かつ地上の課題となっている。
【０００４】
したがって、大部分のオンライン業体では会員数の確保のために自社で提供される物品またはサービスの購買時、一定額または一定比率を割引するか、ポイントとして積み立てる等の方法により会員の再訪問を誘導して、サイトの利用頻度の増加と新規会員の増加を誘導した。
【０００５】
しかしながら、このような方法はオンライン業体を訪問して物品またはサービスを購買した会員や新規会員を紹介した推薦人のみまで恵みが与えられるところ、一人が直接推薦できる会員が多かったり、加入した会員の忠誠度が高くない限り、大きい長所になれなかった。
【０００６】
また、オンライン業体が会員に与えるポイントは、物品またはサービスの購買時、必要とする金額に比べて相対的に非常に小さくて、ポイントの積み立てに相当な期間が消耗されて、事実上無視してしまう場合が多かった。
【０００７】
そうだとして、積み立てられるポイントの金額または割合を増加させれば、業体の利潤減少として表れ、利潤保全のための物品またはサービスのコスト上昇に引き継がれるところ、他競争社との価格競争力の弱化をもたらす。
【０００８】
また、オンライン上における商取引は消費者が希望する場合、同一サービスや物品に対する価格差を各サイト別に簡単に確認できるので、その価格競争力が非常に熾烈であるだけでなく、このような従来の方式では業体間の競争を触発して無理な出血を耐えるべき場合まで発生する問題点があった。
【発明の概要】
【発明が解決しようとする課題】
【０００９】
したがって、本発明は上記のような問題を解決するために案出したものであって、本発明の目的は、オンライン業体で提供される物品またはサービスに対する価格競争力を再考しながら会員間の関連関係を高度化させて会員数を格段に増大させることができる電子商取引方法、そのシステム、及び記録媒体を提供することにある。
【００１０】
また、本発明の他の目的は、ＳＭ会員コードに従属したＧＭ会員コードを有する会員が物品またはサービス購買時に発生するポイントを上位のＳＭ会員コードに発生させることによって、会員加入を留置した会員に、一層高いインセンティブを提供して忠誠度の高い会員の増加と、それに従うオンライン業体の活性化を図る電子商取引方法、そのシステム、及び記録媒体を提供することにある。
【００１１】
そして、本発明の更に他の目的は、独立的地位を有するＳＭ会員に従属していたＧＭ会員がＳＭ会員に地位が変更されるにつれて独立した家系を運営しても、独立した従来のＧＭ会員の購買が続く限り、ポイントが続けて発生されることによって、一度構築されて育成された家系は恒久的な資産の価値を有する電子商取引方法、そのシステム、及び記録媒体を提供することにある。
【００１２】
本発明のその他の目的、特定の長所、及び新規な特徴は、添付された図面と関連する以下の詳細な説明と好ましい実施形態からより明らかになる。
【課題を解決するための手段】
【００１３】
上記のような本発明の目的は、メインサーバが有無線通信網を介して接続された非会員の個人情報及び非会員を推薦した推薦人ＩＤを含む会員加入データの入力を受ける会員加入ステップと、会員加入ステップで加入された会員に対してＧＭ会員の地位を付与し、ＧＭ会員コードを生成し、ＧＭ会員の地位とＧＭ会員コードを推薦人の地位とコード及び推薦人が属したＳＭ会員の地位とコードの下位に従属させるＧＭ会員地位付与ステップと、推薦人の下位に従属したＧＭ会員コードを有する会員数と既に設定された会員数とが一致するか否かを検討する会員数把握ステップと、会員数把握ステップで数が一致する場合、推薦人がＧＭ会員の場合、その地位をＳＭ会員に変更し、新たなＳＭ会員コードを生成して独立した家系に分離させ、推薦人自身が保有していた従来のＧＭ会員コードをそのままに維持させる会員地位変更ステップと、を含み、ＳＭ会員コードとＳＭ会員コードに従属したＧＭ会員コードは１つの家系をなして、ＳＭ会員コードに従属したＧＭ会員コードを有する者の物品またはサービス購買時、購買したＧＭ会員コードが従属したＳＭ会員コードにポイントが発生することを特徴とするオンライン上における会員等級に従うポイントを用いた電子商取引方法により達成できる。
【００１４】
そして、推薦人が独立した家系をなした以後、推薦人の推薦により加入された会員のＧＭ会員地位は推薦人のＳＭ会員地位に従属し、推薦人の推薦により加入された会員のＧＭ会員コードは推薦人のＳＭ会員コードに従属する。
【００１５】
また、会員地位変更ステップによりＳＭ会員の地位に変更された者の物品またはサービス購買時、自身が従来保有していたＧＭ会員コードが属した家系の最上位に存在するＳＭ会員コードに物品またはサービスに対するポイントが積み立てられる。
【００１６】
そして、ＧＭ会員地位付与ステップは、会員が一定回数または一定額に該当する物品またはサービスを購買したか否かを判断するステップと、一定回数または一定額に該当する物品またはサービスを購買した場合、ＧＭ会員の地位とＧＭ会員コードを付与するステップと、を含むことができる。
【００１７】
また、ＳＭ会員コードに発生したポイントはキャッシュバックされるか、物品またはサービスの購買時に使用可能である。
【００１８】
そして、ＳＭ会員コードに発生するポイントは一定の積み立て期間が設定されて運営できる。
【００１９】
この場合、ＳＭ会員コードに積み立てられたポイントはＳＭ会員コードを有する会員が積み立て期間の間、物品またはサービスを購買した場合に利用できる。
【００２０】
また、ＳＭ会員コードに積み立てられたポイントはＳＭ会員コードを有する会員が積み立て期間の間、一定額または一定比率に該当する物品またはサービスの購買がない場合に一定額または一定比率だけ消滅できる。
【００２１】
そして、会員数把握ステップにおいて、推薦人の下位に従属したＧＭ会員の数は推薦人の直接推薦により加入されたＧＭ会員の数となることができる。
【００２２】
上記のような本発明の目的は、有無線通信網を介して接続した非会員の個人情報及び非会員を推薦した推薦人ＩＤを含む会員加入データの転送を受けて会員に加入させ、会員に推薦人の地位とコード及び推薦人が属したＳＭ会員の地位とＳＭ会員コードに各々従属するＧＭ会員地位とＧＭ会員コードを付与し、推薦人の下位に従属するＧＭ会員の数と予め設定された会員数とが一致するか否かを判断して推薦人の地位を変更し、該当コードを生成するメインサーバと、
【００２３】
メインサーバに有無線通信網を介して接続した購買者の要請に従って物品またはサービスを提供する提供サーバと、購買者の購買に従う決済を担当する決済サーバと、メインサーバ及び決済サーバと連結されてメインサーバに接続した者の会員認証及び決済承認を担当する承認サーバと、を含むことを特徴とするオンライン上における会員等級に従うポイントを用いた電子商取引システムにより達成できる。
【００２４】
そして、メインサーバは、ウェブブラウザと転送プロトコルを介したアクセス情報を提供するＷＥＢサーバと、ＷＡＰ方式の無線インターネットウェブブラウザを運営するＷＡＰサーバと、会員による物品またはサービス購買時、それに従うポイントを計算するポイント計算部と、ポイント計算部で算出されたポイントを物品またはサービスを購買した会員がＧＭ会員の場合には購買したＧＭ会員コードが従属した家系の最上位に位置したＳＭ会員コードに積み立て、物品またはサービスを購買した会員がＳＭ会員の場合には購買したＳＭ会員が従来保有したＧＭ会員コードが従属した家系の最上位に位置したＳＭ会員コードに積み立てるポイント積み立て部と、推薦人の下位に従属したＧＭ会員の数と予め設定された会員数とが一致するか否かを検討して、予め設定された会員数と一致する場合、推薦人の地位をＧＭ会員からＳＭ会員に変更し、該当ＳＭ会員コードを発生させる会員地位変更部と、物品またはサービスに関する情報、会員の購買情報を格納するデータベースと、を含むことができる。
【００２５】
また、会員地位変更部は、変更されたＳＭ会員地位及び生成されたＳＭ会員コードを独立した家系に設定することができる。
【００２６】
そして、メインサーバには、ＳＭ会員コードに積み立てられたポイントをＳＭ会員に出力し、物品またはサービス別のポイントを購買者に出力する情報公開部が更に含まれることができる。
【００２７】
上記のような本発明の目的は、コンピュータにより読取可能な記録媒体であって、有無線通信網を介して接続された非会員の個人情報及び非会員を推薦した推薦人ＩＤを含む会員加入データの入力を受ける会員加入ステップと、会員加入ステップで加入した会員に対してＧＭ会員の地位を付与し、ＧＭ会員コードを生成し、ＧＭ会員の地位とＧＭ会員コードを推薦人の地位とコード及び推薦人が属したＳＭ会員の地位とコードの下位に従属させるＧＭ会員地位付与ステップと、推薦人の下位に従属したＧＭ会員コードを有する会員数と既に設定された会員数とが一致するか否かを検討する会員数把握ステップと、会員数把握ステップで数が一致する場合、推薦人がＧＭ会員の場合、その地位をＳＭ会員に変更し、新たなＳＭ会員コードを生成して独立した家系に分離させ、推薦人自身が保有していた従来のＧＭ会員コードはそのままに維持させる会員地位変更ステップと、ＳＭ会員コード及びＳＭ会員コードに従属したＧＭ会員コードは１つの家系をなして、ＳＭ会員コードに従属したＧＭ会員コードを有する会員が物品またはサービス購買時、ＳＭ会員コードにポイントを発生させるステップと、を実行させるためのプログラムを記録したコンピュータにより読取可能な記録媒体によっても達成できる。
【００２８】
そして、会員地位変更ステップによりＳＭ会員地位に変更された者の物品またはサービス購買時、自身が従来保有していたＧＭ会員コードが属した家系の最上位に存在するＳＭ会員コードに前記物品またはサービスに対するポイントが積み立てられるステップを更に実行させるためのプログラムを含むことができる。
【００２９】
また、ＳＭ会員コードに発生したポイントを一定額または一定比率で消滅させるステップを更に実行させるためのプログラムを含むこともできる。
【発明の効果】
【００３０】
本発明に従うオンライン上における会員等級に従うポイントを用いた電子商取引方法、システム、及び記録媒体によれば、一定の数の会員（例えば、２名）加入を留置したＧＭ会員の場合、独立したＳＭ会員の地位を与えて会員の数を格段に増大させることができるという特徴がある。
【００３１】
また、ＳＭ会員に従属したＧＭ会員の購買活動により発生したポイントを該当ＳＭ会員の第１代に限って帰属させることによって、会員加入を留置した会員に一層多いインセンティブを与えることができるという特徴がある。
【００３２】
そして、従来のＧＭ会員がＳＭ会員に地位が変更されるにつれて、独立した家系を運営しても、ＳＭ会員に地位が変更された者のサービスまたは物品の購買がある限り、ポイントが従来のＧＭ会員コードが従属した家系のＳＭ会員コードに発生するので、一度育成された家系は恒久的資産の価値を有する特徴がある。
【００３３】
したがって、ＧＭ会員の場合、多くのポイントを積み立てできるＳＭ会員になるためにＧＭ会員は会員加入活動を活発に進行するようになるところ、オンライン事業体の場合は会員の画期的な増加を図ることができ、ＳＭ会員の場合はインセンティブとして得たポイントを活用して低廉な購買活動をすることができる。
【００３４】
また、ＳＭ会員コードに発生したポイントを物品またはサービスの再購買時に使用可能にすることで、オンライン事業体の売り上げ増大を図ることができる。
【図面の簡単な説明】
【００３５】
【図１】本発明に従うＳＭ会員とＧＭ会員との関係を概略的に示す家系図であって、ポイントの積み立て位置を示す状態図である。
【図２】本発明のオンライン上における会員等級に従うポイントを用いた電子商取引方法の流れ図である。
【図３】本発明に従う推薦人に従う階層図である。
【図４】本発明に従う推薦人に従う階層図である。
【図５】ＧＭ会員が一定数（２名）を充足させてＳＭ会員の地位に変更されて独立した家系を形成する場合の数を示す階層図である。
【図６】ＧＭ会員が一定数（２名）を充足させてＳＭ会員の地位に変更されて独立した家系を形成する場合の数を示す階層図である。
【図７】ＧＭ会員が一定数（２名）を充足させてＳＭ会員の地位に変更されて独立した家系を形成する場合の数を示す階層図である。
【図８】ＧＭ会員が一定数（２名）を充足させてＳＭ会員の地位に変更されて独立した家系を形成する場合の数を示す階層図である。
【図９】ＧＭ会員が一定数（２名）を充足させてＳＭ会員の地位に変更されて独立した家系を形成する場合の数を示す階層図である。
【図１０】ＧＭ会員が一定数（２名）を充足させてＳＭ会員の地位に変更されて独立した家系を形成する場合の数を示す階層図である。
【図１１】ＧＭ会員が第１家系でＳＭ会員の地位に変更されて独立した家系（第２家系）を構成する場合の構造図である。
【図１２】ＧＭ会員が第２家系でＳＭ会員の地位に変更されて独立した家系（第３家系）を構成する場合の構造図である。
【図１３】本発明のオンライン上における会員等級に従うポイントを用いた電子商取引システムの構成図である。
【図１４】メインサーバの概略的な構成を示すブロック図である。
【発明を実施するための形態】
【００３６】
以下、添付された図面及び表を参考にして、本発明の好ましい実施形態について詳細に説明する。本発明を説明するに当たって、関連した公知機能及び構成に対する具体的説明が本発明の要旨を曖昧にすることができると判断される場合、それに対する説明は省略する。
【００３７】
＜ＳＭ会員とＧＭ会員の用語説明＞
本明細書において、ＳＭ（System Master）会員とは、オンライン業体に会員資格を具備したユーザであって、オンライン業体が設定した一定数以上の会員を推薦及び加入育成させた会員を意味する。ＳＭ会員は、ＳＭ会員地位とそれに該当するＳＭ会員コードを有する。ＳＭ会員は、自身の下部に従属しているＧＭ会員及びそのＧＭ会員に従属した全てのＧＭ会員がオンライン業体に登録された物品またはサービスを購買することにより発生する全てのポイントをインセンティブとして得るようになる。図１はＳＭ会員とＧＭ会員の階層構造を概略的に示すブロック図であって、ＳＭ会員は連続する階層構造上の最上位層に位置する。図１で、矢印の開始点は購買した会員を表し、矢印の終点はポイントが格納される会員のコードを表す。即ち、ＳＭ会員の下部に従属したＧＭ会員の物品またはサービス購買時に発生するポイントは、図示したようにＳＭ会員コードに積み立てられる。
【００３８】
本明細書において、ＧＭ会員とは、オンライン業体に会員資格を具備したユーザであって、未だＳＭ会員の地位を得ていない者で、上位のＳＭ会員に階層的に帰属されている会員をいう。ＧＭ会員は、ＧＭ会員地位とそれに該当するＧＭ会員コードを有する。ＧＭ会員はＳＭ会員とは異なり、自身より下部に従属したＧＭ会員が上げたポイントを自身のＧＭ会員コードに積み立てできない。但し、ＧＭ会員が一定数（例えば、２名）の会員を加入させ、彼らから推薦を受ければ、ＳＭ会員に昇格できる。
【００３９】
即ち、オンライン業体を通じて物品またはサービスを購買するに当たって、会員加入するか、会員加入後、物品またはサービスを自身のＩＤで購買して所定のポイントを達成すればＧＭ会員になる。そして、この後、該当ＧＭ会員が会員を直接推薦して加入させるか、これらを育成して一定数（例えば、２名）に至るようになれば、ＧＭ会員地位がＳＭ会員地位に変更されると共に、新たなＳＭ会員コードが発生され、ＳＭ会員地位に変更された者は独立した家系を形成するシステムである。
【００４０】
また、独立したＳＭ会員は再び後順位会員（ＧＭ会員）を人員の制限無しで直接推薦するか、オンライン業体の運営の便宜上、一定数（例えば、１名乃至１０名）の人員を推薦して育成できる。即ち、独立した家系を形成したＳＭ会員が以後に加入させたＧＭ会員のＧＭ会員地位及びＧＭ会員コードは各々独立した家系を形成したＳＭ会員地位とＳＭ会員コードに従属する構造である。
【００４１】
ＳＭ会員は自身の下部階層にあるＧＭ会員及びそのＧＭ会員の下部に位置した全てのＧＭ会員の物品またはサービス購買に従うポイントを自身の会員コード（即ち、ＳＭ会員コード）に発生させてインセンティブとして得るようになる、第１代のみの収益が適用されるシステムである。
【００４２】
以下、上記のように定義されたＳＭ会員及びＧＭ会員の概念に基づいて本発明に従うオンライン上における会員等級に従うポイントを用いた電子商取引方法、そのシステム、及び記録媒体について詳細に説明する。
【００４３】
＜電子商取引方法＞
図２は、本発明のオンライン上における会員等級に従うポイントを用いた電子商取引方法に従う流れ図である。本発明の電子商取引方法は、大別して、メインサーバが有無線通信網を介して接続した非会員を会員に加入させる会員加入ステップ（Ｓ１０）、会員に加入した者にＧＭ会員の地位とコードを与えるＧＭ会員地位付与手段（Ｓ２０）、推薦人の下位に従属したＧＭ会員数と予め設定された会員数とを比較して判断する会員数把握ステップ（Ｓ３０）、会員数把握結果、条件を満たす場合、推薦人がＧＭ会員であれば独立した家系を形成できるＳＭ会員の地位とコードを発生させる会員地位変更ステップ（Ｓ４０）などから構成される。
【００４４】
まず、会員加入ステップ（Ｓ１０）について説明すれば、次の通りである。オンライン事業体に会員である者（推薦人）の推薦により非会員である者が有無線通信網を介してメインサーバに接続して会員加入する。メインサーバは非会員の会員加入時に必要とする個人情報（名前、住民登録番号、アドレス、パスワード等）と推薦人のＩＤの入力を受ける。
【００４５】
その後、非会員であった者が上記オンライン事業体の会員に登録されれば、メインサーバは加入者にＧＭ会員の地位（ＧＭ会員地位）を付与し、それに該当するＧＭ会員コードを発生させる（Ｓ２０）。ＧＭ会員地位付与とＧＭ会員コード発生は会員加入と同時になされることができる。また、ＧＭ会員地位付与とＧＭ会員コード発生は、会員に加入した者が一定回数または一定額以上の物品やサービスを購買した場合に発生させることができる。
【００４６】
ＧＭ会員地位とＧＭ会員コードは、推薦人の地位とコード及び推薦人が従属したＳＭ会員地位とコードに各々従属する。即ち、図３に示すように、推薦人自身がＳＭ会員の場合であれば、ＧＭ会員地位付与ステップ（Ｓ２０）により与えられたＧＭ会員地位と生成されたＧＭ会員コードは、推薦人のＳＭ会員地位とＳＭ会員コードに各々従属する。更に他の実施形態として、図４に示すように、推薦人がＧＭ会員（ＧＭ−Ａ１）の場合であれば、ＧＭ会員地位付与ステップ（Ｓ２０）により与えられたＧＭ会員地位は、推薦人の地位（ＧＭ会員地位）に従属すると共に、推薦人（ＧＭ−Ａ１）の上部に位置するＳＭ会員の地位に従属する。また、ＧＭ会員地位付与ステップ（Ｓ２０）により生成されたＧＭ会員コードは、推薦人のコード（ＧＭ会員コード）に従属すると共に、推薦人（ＧＭ−Ａ１）の上部に位置するＳＭ会員コードに従属する。
【００４７】
会員加入ステップ（Ｓ１０）及びＧＭ会員地位付与ステップ（Ｓ２０）の反復実施結果、推薦人の下位に従属したＧＭ会員数がオンライン事業体が目標とする会員加入の数（以下、‘一定数’という）に到達すれば、推薦人は新たな独立した家系を形成できる。推薦人の下位に従属したＧＭ会員数が一定数に到達したか否かを判断する方法には大別して２つがある。以下、本明細書では説明の便宜のために、一定数を２名にして説明する。
【００４８】
第１の方法は、推薦人の“直接”推薦により加入した会員のみ計数するものである。即ち、図５に示すように、推薦人（ＧＭ−Ａ１）本人の推薦により加入したＧＭ会員（ＧＭ−Ｂ１、Ｂ２）のみを一定数（１５：２名）と比較するものである。
【００４９】
第２の方法は、推薦人の“間接”推薦により加入した会員も含んで計数するものである。図６に示すように、推薦人（ＧＭ−Ａ１）本人の直接推薦により加入したＧＭ会員（ＧＭ−Ｂ１）とその加入したＧＭ会員（ＧＭ−Ｂ１）の推薦（間接推薦）により加入したＧＭ会員（ＧＭ−Ｃ１）とを合せて一定数（１５´：２名）に到達するか否かを判断する方法がある。
【００５０】
前述したような例において、一定数は１名または２名以上になることができることは勿論である。例えば、一定数が３名の場合で、推薦人の直接または間接推薦により会員数把握ステップ（Ｓ３０）を実行すれば、図７乃至図１０に図示されたような多様な場合が可能である。即ち、一定数を２名の場合より３名の場合に設定すれば、より多い場合に該当するＧＭ会員がＳＭ会員に地位が変更されながら独立した家系を形成できる。このようにオンライン業体は、多様な階層構造を図り、かつより多い会員が確保できるようになる。このような一定数はオンライン業体が定義することができる。
【００５１】
より好ましくは、会員数把握ステップ（Ｓ３０）では、図５に示すように、推薦人（ＧＭ−Ａ１）本人の直接推薦により加入したＧＭ会員（ＧＭ−Ｂ１、Ｂ２）の数のみを計数して一定数に到達するか否かを判断することが会員数の増大の面でより良い。
【００５２】
次に、会員数把握ステップ（Ｓ３０）の結果、推薦人の下位に従属したＧＭ会員の数が一定数（例、２名）に到達する場合、推薦人がＧＭ会員であれば、その地位がＳＭ会員に変更され、それに該当するＳＭ会員コードが生成される会員地位変更ステップ（Ｓ４０）がなされる。即ち、図１１に示すように、第１家系１００で一定数（例、２名）の会員（ＧＭ−Ｂ１、Ｂ２）を加入させた推薦人であるＧＭ会員（ＧＭ−Ａ１）は、ＳＭ会員（ＳＭ−Ａ１）に地位が変更されながら新たな家系２００（第２家系）を形成する地位が与えられる。同時に、それに該当するＳＭ会員コードが発生され、このＳＭ会員コードにはポイントが積み立てられる。
【００５３】
新たな第２家系２００が形成された以後、ＳＭ会員（ＳＭ−Ａ１）が新たな非会員を推薦して従属させたＧＭ会員（ＧＭ−Ｂ３、Ｂ４．．Ｂｎ）及びこれらＧＭ会員（ＧＭ−Ｂ３、Ｂ４．．Ｂｎ）が推薦し従属させたＧＭ会員（ＧＭ−Ｃ１、Ｃ２．．．）は、最上位に置かれたＳＭ会員（ＳＭ−Ａ１）に従属する。即ち、新たなＧＭ会員（ＧＭ−Ｂ３、Ｂ４．．Ｂｎ、及びＧＭ−Ｃ１、Ｃ２．．．）の地位及びそれに該当するＧＭ会員コードは、第２家系のＳＭ会員（ＳＭ−Ａ１）の地位とコードに従属する。したがって、新たなＧＭ会員（ＧＭ−Ｂ３、Ｂ４．．Ｂｎ、及びＧＭ−Ｃ１、Ｃ２．．．）の物品またはサービス購買に従うポイントは、新たなＧＭ会員コードの最上部に置かれたＳＭ会員（ＳＭ−Ａ１）コードに積み立てられる。
【００５４】
一方、新たな第２家系２００を形成した以後に、ＳＭ会員（ＳＭ−Ａ１）自身が物品またはサービスを購買する時に発生するポイントや、従来のＧＭ会員（ＧＭ−Ａ１）の地位にある時に加圧させたＧＭ会員（ＧＭ−Ｂ１、Ｂ２）が物品またはサービスを購買する場合に発生するポイントは、従来のＧＭ会員コード（ＧＭ−Ａ１）が従属している第１家系のＳＭ会員コード（ＳＭ−Ｘ）に発生する。
【００５５】
即ち、物品またはサービスを購買した者が所有したＳＭ会員コードは、ポイント積み立ての出発点の役目をするだけであり、ポイントは当該購買者が所有したＳＭ会員コードを逆に追跡する時に最上位に置かれたＳＭ会員コードに積み立てられるものである。
【００５６】
したがって、新たな家系を形成したＳＭ会員は、自身のＳＭ会員コードに発生されるポイントをよりたくさん積み立てるために新たなＧＭ会員を加入させるように努力するようになり、ＳＭ会員の下位に従属したＧＭ会員は、ＳＭ会員の地位を得て独立した家系を形成してポイントを積み立てしようとするので、新たなＧＭ会員を加入させるために努力するようになる。
【００５７】
図１２に示すように、第２家系２００で一定数（例、２名）のＧＭ会員（ＧＭ−Ｃ１、Ｃ２）を従属させたＧＭ会員（ＧＭ−Ｂ４）は、ＳＭ会員（ＳＭ−Ｂ４）に地位が変更され、それに該当するＳＭ会員コードが生成されて、新たな家系３００（第３家系）を形成する。
【００５８】
図１２の場合において、新しく第３家系３００を形成したＳＭ会員（ＳＭ−Ｂ４）が物品またはサービスを購買するか、ＳＭ−Ｂ４の会員が従来のＧＭ会員（ＧＭ−Ｂ４）の地位にある時に加入させたＧＭ会員（ＧＭ−Ｃ１、Ｃ２）が物品またはサービスを購買すれば、該当ポイントは第２家系のＳＭ会員コード（ＳＭ−Ａ１）に積み立てられる。そして、第３家系３００のＳＭ会員（ＳＭ−Ｂ４）に従属したＧＭ会員（ＧＭ−Ｃ３、Ｃ４．．Ｃｎ）の物品またはサービスの購買がなされれば、第３家系のＳＭ会員コード（ＳＭ−Ｂ４）にポイントが積み立てられる。
【００５９】
これは、多段階販売方式とは根本的に異なるものであって、単に１つの組織体としてピラミッド式で成長し、新たな加入者の物品購買行為により発生した所定の利益分を多段階に亘っている全ての上位加入者に分けてやる多段階販売方式と根本的に異なる。本発明に従う家系は、独立した小単位体の家系を形成して、小単位体の最上位に位置する第１代のみにポイントが積み立てられる構造である。
【００６０】
第１家系乃至第３家系の最上位に位置するＳＭ会員コードに積み立てられたポイントは、キャッシュバックされるか、物品またはサービスの購買時に使用可能である。このようなポイントは一定の積み立て期間を設定して運営できる。一実施形態として、ポイントが積み立てられたＳＭ会員コードを有する会員（第１家系のＳＭ−Ｘ会員、第２家系のＳＭ−Ａ１会員、または第３家系のＳＭ−Ｂ４会員等）がオンライン業体が設定した一定の積み立て期間の間、物品やサービスを購買する場合に、ポイントを使用するようにすることができる。または、使用後に残ったポイントの一部分をキャッシュバックしてくれることもできる。一方、ポイントが積み立てられたＳＭ会員コードを有する会員（第１家系のＳＭ−Ｘ会員、第２家系のＳＭ−Ａ１会員、または第３家系のＳＭ−Ｂ４会員等）がオンライン業体が設定した一定の積み立て期間の間、物品またはサービスを購買しなかった場合であれば、一定額または一定比率に該当するポイントを消滅させることもできる。消滅させる一定額または一定比率のポイントはオンライン業体が会員の実績、会員数などを考慮して定めることができる。
【００６１】
＜電子商取引システム＞
オンライン上における会員等級に従うポイントを用いた電子商取引システムは、図１３に示すように、大別して、会員加入、ＳＭ会員及びＧＭ会員の地位付与及びコードを生成するメインサーバ４１０と、メインサーバに有無線通信網を用いて接続した者の物品またはサービスに対する購買要請に従って物品またはサービスを提供する提供サーバ４２０と、購買に従う決済業務を担当する決済サーバ４３０と、メインサーバ及び決済サーバに連結されて会員認証及び決済承認を担当する承認サーバ４４０等を含む。
【００６２】
図１４は、メインサーバ４１０の構成を概略的に示すブロック図である。
【００６３】
メインサーバ４１０は、非会員の個人情報及びこのような非会員を推薦した推薦人ＩＤを含む会員加入データの転送を受けて会員に加入させ、会員に加入した者に推薦人の地位とコード及び推薦人が属したＳＭ会員地位とＳＭ会員コードに従属するＧＭ会員の地位及び該当コードを付与し、推薦人の下位に従属するＧＭ会員の数と予め設定された会員数（一定数）とか一致するか否かを検討して、数が一致し、推薦人がＧＭ会員の場合であれば、推薦人の地位をＧＭ会員地位からＳＭ会員地位に変更すると共に、ＳＭ会員コードを生成する機能を担当する。
【００６４】
このような機能を担当するためのメインサーバは、ＷＥＢサーバ４１１、ＷＡＰサーバ４１２、ポイント計算部４１４、ポイント積み立て部４１６、会員地位変更部４１８、及び関連情報を格納するデータベース４１９を含む。
【００６５】
ウェブブラウザと転送プロトコルを介してアクセスに対する情報を提供するＷＥＢサーバ４１１と、移動通信端末機、スマートフォン、またはＰＤＡ端末機のように、ＷＡＰ方式の無線インターネットウェブブラウザを運営するＷＡＰサーバ４１２は、オンライン事業体にユーザが接続できる基礎を提供する。
【００６６】
ポイント計算部４１４は、会員（ＳＭ会員またはＧＭ会員）による物品またはサービスの購買がなされれば、それによって発生するポイントを算出する。
【００６７】
会員地位変更部４１８は、会員（ＧＭ会員またはＳＭ会員）が推薦して自身の下位に従属させたＧＭ会員の数が一定数と一致する場合、会員加入を推薦した会員の地位を変更させ、それに該当するコードを発生させる。
【００６８】
即ち、前述した図１１及び図１２で説明した通り、一定数の会員加入を留置した推薦人（ＧＭ−Ａ１、ＧＭ−Ｂ４）がＧＭ会員の場合、その地位（ＧＭ−Ａ１、ＧＭ−Ｂ４）をＳＭ会員（ＳＭ−Ａ１、ＳＭ−Ｂ４）に変更すると共に、ＳＭ会員の地位に相応するＳＭ会員（ＳＭ−Ａ１、ＳＭ−Ｂ４）コードを発生させる。但し、従来のＧＭ会員（ＧＭ−Ａ１、ＧＭ−Ｂ４）コードは維持される。変更されたＳＭ会員地位は独立した新たな家系を形成できる資格を具備したことを意味し、生成されたＳＭ会員コードはポイントが積み立てられるアドレスに該当する。推薦人の地位が変更され、新たなＳＭ会員コードが与えられたとしても、推薦人が従来ＧＭ会員であった時に発生したＧＭ会員コードは消滅されない。
【００６９】
そして、推薦人がＳＭ会員の場合であれば、ＳＭ会員地位及びＳＭ会員コードは既に与えられたところ、会員地位変更部４１８が新しく地位を変更したりコードを発生させる必要はない。
【００７０】
ポイント積み立て部４１６は、ポイント計算部４１４で算出されたポイントを物品またはサービスを購買した会員が保有したＧＭ会員コードが従属した家系の最上位に位置するＳＭ会員コードに積み立てさせる。図１１及び図１２を参照して説明すれば、次の通りである。例えば、物品またはサービスを購買した会員が図１２のＧＭ−Ｂ３会員の場合、ポイント積み立て部４１６は当該ＧＭ会員コードが従属したＳＭ−Ａ１会員のＳＭ会員コードにポイントを積み立てさせる。他の一例として、物品またはサービスを購買した会員がＳＭ−Ａ１会員の場合を見ると、次の通りである。物品またはサービスを購買した会員がＳＭ−Ａ１会員の場合、この者はＳＭ会員に地位が変更された以後でも従来のＧＭ会員コードを保有した者である。この場合、従来から保有していたＧＭ会員コードは新しく与えられたＳＭ会員コードより優先して、ポイント積み立て部４１６はＳＭ−Ａ１会員が購買した物品またはサービスに該当するポイントを従来のＧＭ会員コード（ＧＭ−Ａ１）が従属したＳＭ−Ｘ会員のＳＭ会員コードに積み立てさせる。
【００７１】
データベース４１９は、電子商取引システムの駆動に必要とする各種情報が格納される装置である。データベースに格納される情報には、推薦人のＩＤのような情報を含んだ個人情報、オンライン業体で物品購買決済に関する決済処理情報、ポイント積み立て情報、会員認証及び決済承認のための承認情報、会員間の階層化情報などがある。これに対する詳細な内容は当業体の技術範囲に属するものであって、ここで詳細な説明は省略する。
【００７２】
情報公開部（図示せず）は、ＳＭ会員コードに積み立てられたポイントを該当ＳＭ会員コードを保有したＳＭ会員に出力し、購買者が購買しようとする物品またはサービス別ポイントを全ての購買者に出力する機能をする。情報公開部に格納された物品情報とそれに該当するポイント、またはサービス情報とそれに該当するポイントは、イメージ画面と文字（文字、数字等）等でコンピュータモニター、携帯電話の液晶画面などを通じて購買者に提供される。
【００７３】
＜記録媒体＞
前述したような、オンライン上における会員等級に従うポイントを用いた電子商取引方法は、コンピュータで読取可能な記録媒体により具現できる。本記録媒体には、有無線通信網を介して接続された非会員の個人情報及び非会員を推薦した推薦人ＩＤを含む会員加入データの入力を受ける会員加入ステップ（Ｓ１０）と、会員加入ステップで加入した会員に対してＧＭ会員の地位を付与し、ＧＭ会員コードを生成し、ＧＭ会員の地位とＧＭ会員コードを推薦人の地位とコード及び推薦人が属したＳＭ会員の地位とコードの下位に従属させるＧＭ会員地位付与ステップ（Ｓ２０）と、推薦人の下位に従属したＧＭ会員コードを有する会員数と既に設定された会員数とが一致するか否かを検討する会員数把握ステップ（Ｓ３０）と、会員数把握ステップで数が一致する場合、推薦人がＧＭ会員の場合、その地位をＳＭ会員に変更し、新たなＳＭ会員コードを生成して独立した家系に分離させ、推薦人自身が保有していた従来のＧＭ会員コードはそのままに維持させる会員地位変更ステップ（Ｓ４０）と、ＳＭ会員コード及びＳＭ会員コードに従属したＧＭ会員コードは１つの家系をなして、ＳＭ会員コードに従属したＧＭ会員コードを有する会員が物品またはサービス購買時、ＳＭ会員コードにポイントを発生させるステップを実行させるためのプログラムコードまたは命令語が格納されている。
【００７４】
即ち、上記の記録媒体に含まれたプログラムコードまたは命令語は、前述したオンライン上における会員等級に従うポイントを用いた電子商取引方法の進行を可能にする。
【００７５】
また、会員地位変更ステップ（Ｓ４０）によりＳＭ会員の地位に変更された者が物品またはサービスを購買する場合、自身が従来保有していたＧＭ会員コードが従属した家系の最上位に存在するＳＭ会員コードに物品またはサービスに対するポイントが積み立てられるステップを実行させるためのプログラムコードまたは命令語を含むことができる。
【００７６】
また、このような記録媒体はＳＭ会員のポイントを一定額または一定比率で消滅させるステップを遂行するプログラムコードまたは命令語を含むことができる。ポイント消滅は、一定期間（例、前述した一定の積み立て期間）の間になされることができる。
【００７７】
このような記録媒体の一例としては、フロッピーディスク、ハードディスク、磁気リールテープ、光ディスク（ＣＤ、ＤＣＤ、ブルーレイディスク等）、半導体メモリ（ＲＡＭ、ＲＯＭ、ＥＥＰＲＯＭ、ＵＳＢメモリ、ＣＦメモリ、ＳＤメモリ等）などがある。記録媒体が先の列挙した媒体に限定されず、電子的なデータで記録及び格納され、コンピュータにより読取可能なものであれば、その種類を問わないことは勿論である。
【００７８】
＜変形例＞
他の実施形態として、本発明がオンライン上における会員等級に従うポイントを用いた電子商取引方法、そのシステム、及び記録媒体について説明しているが、本発明は一般オフライン上でも活用できる。加盟契約を締結した会員社やオフライン上で当該会員（即ち、ＳＭ会員及びＧＭ会員）が物品またはサービス購買時にメインサーバと連結された会員カードを認識して会員認証を行い、ポイントを積み立てしてくれることが好ましい。この時にもＳＭ会員コードに積み立てられたポイントでオフライン上で物品またはサービスの購買が可能である。使用したポイントだけ会員に積み立てられたポイントが差引きされることは勿論である。
【００７９】
たとえ本発明が上記言及された好ましい実施形態と関連して説明されたが、発明の要旨と範囲から外れることなく、多様な修正や変形が可能である。したがって、添付された特許請求範囲には本発明の要旨に属する限り、このような修正や変形を含む。
【図１】
2012515953.tif 000003
【図２】
2012515953.tif 000004
【図３】
2012515953.tif 000005
【図４】
2012515953.tif 000006
【図５】
2012515953.tif 000007
【図６】
2012515953.tif 000008
【図７】
2012515953.tif 000009
【図８】
2012515953.tif 000010
【図９】
2012515953.tif 000011
【図１０】
2012515953.tif 000012
【図１１】
2012515953.tif 000013
【図１２】
2012515953.tif 000014
【図１３】
2012515953.tif 000015
【図１４】
2012515953.tif 000016
【国際調査報告】
2012515953.tif 000017
2012515953.tif 000018
2012515953.tif 000019
2012515953.tif 000020